(57)【要約】【課題】本発明は、物品、人等の管理対象に付与される無線端末装置自体が管理対象から外されたか否かを検出する。【解決手段】管理システム１は、管理対象物Ｂ１ａ〜Ｂ１ｍ、〜、Ｂｎａ〜Ｂｎｍに無線タグＴ１ａ〜〜Ｔ１ｍ、〜、Ｔｎａ〜Ｔｎｍが取り付けられており、無線タグＴ１ａ〜〜Ｔ１ｍ、〜、Ｔｎａ〜Ｔｎｍの管理対象物Ｂ１ａ〜Ｂ１ｍ、〜、Ｂｎａ〜Ｂｎｍへの取付面に光センサが配設されている。無線タグＴ１ａ〜〜Ｔ１ｍ、〜、Ｔｎａ〜Ｔｎｍは、剥がされる等によって光センサが所定量以上の光を受光すると、近距離無線通信部に、管理対象物Ｂ１ａ〜Ｂ１ｍ、〜、Ｂｎａ〜Ｂｎｍの管理近接無線通信部と近距離無線通信させ、近距離無線通信が無効であると、鳴動／発光部を駆動させて異常を報知出力する。【選択図】          図１
2014155087.tif 000002
【特許請求の範囲】
【請求項１】
管理対象への取付面に該管理対象に密接する状態で配設されて、密接状態でオフ、所定距離以上離れるとオンまたは距離に応じた検出値の検出信号を出力する離接検出手段と、
前記管理対象に設けられている管理近距離無線通信手段との間で近距離無線通信を行う近距離無線通信手段と、
外部に異常情報を報知出力する報知手段と、
前記離接検出手段の検出信号がオンまたは所定検出値を超えると、前記近距離無線通信手段に前記管理近距離無線通信手段と無線通信させ、該無線通信が無効または所定強度以下の通信強度であると、前記報知手段に前記異常情報を報知出力させる制御手段と、
を備えていることを特徴とする無線端末装置。
【請求項２】
前記離接検出手段は、
前記管理対象への取付面に該管理対象に密接する状態で配設されている光検出手段であることを特徴とする請求項１記載の無線端末装置。
【請求項３】
前記無線端末装置は、
少なくとも前記管理対象を特定する管理対象特定情報を記憶する記憶手段を備え、
前記近距離無線通信手段は、
前記管理近距離無線通信手段から前記管理対象を特定する管理対象特定情報を取得し、
前記制御手段は、
前記近距離無線通信手段が取得した前記管理対象特定情報が、前記記憶手段の前記管理対象特定情報と異なると、前記報知手段に前記異常情報を報知出力させることを特徴とする請求項１記載の無線端末装置。
【請求項４】
前記報知手段は、
音声出力手段、発光手段、鳴動手段及び前記無線端末装置を通して前記管理対象を管理する管理装置へ異常情報を送信する無線通信手段のうち少なくとも１つを備えていることを特徴とする請求項１から請求項３のいずれかに記載の無線端末装置。
【請求項５】
前記無線端末装置は、
前記管理対象を管理するのに必要な各種情報を記憶する情報記憶手段を備え、
前記制御手段は、
前記異常情報を前記報知手段に報知出力させるとともに、前記情報記憶手段の記憶する前記情報を消去または読み取り不可能な状態にすることを特徴とする請求項１から請求項４のいずれかに記載の無線端末装置。
【請求項６】
管理対象に取り付けられる無線端末装置と、該無線端末装置と無線通信して該管理対象を管理する管理装置と、を備えた管理システムであって、
前記無線端末装置は、
管理対象への取付面に該管理対象に密接する状態で配設されて、密接状態でオフ、所定距離以上離れるとオンまたは距離に応じた検出値の検出信号を出力する離接検出手段と、
前記管理対象に設けられている管理近距離無線通信手段との間で近距離無線通信を行う近距離無線通信手段と、
外部に異常情報を報知出力する報知手段と、
前記管理装置と無線通信する無線通信手段と、
前記離接検出手段の検出信号がオンまたは所定検出値を超えると、前記近距離無線通信手段に前記管理近距離無線通信手段と無線通信させ、該無線通信が無効または所定強度以下の通信強度であると、前記無線通信手段に異常情報を前記管理装置へ無線送信させ、該無線通信手段が該管理装置から異常情報出力指示を受信すると、前記報知手段に前記異常情報を報知出力させる端末制御手段と、
を備え、
前記管理装置は、
前記無線端末装置と無線通信する無線通信手段と、
前記無線通信手段が前記異常情報を受信すると、該異常情報に基づいて前記無線端末装置が前記管理対象から取り外されたか否かを判定して、取り外されたと判定すると、前記異常情報出力指示を該無線通信手段に該無線端末装置へ送信させる管理制御手段と、
を備えていることを特徴とする管理システム。
【請求項７】
前記無線端末装置は、
少なくとも自装置を特定する端末特定情報を含む管理情報を記憶する記憶手段を備え、
前記端末制御手段は、
前記無線通信手段に前記異常情報を前記管理装置へ送信させる際に、前記記憶手段の前記管理情報をも該管理装置へ送信させ、
前記管理制御手段は、
前記管理情報に基づいて前記異常情報を送信してきた前記無線端末装置を特定して該無線端末装置が前記管理対象から取り外されたか否かの判定を含む異常管理を行うことを特徴とする請求項６記載の管理システム。
【請求項８】
前記管理装置は、
前記異常情報出力指示の要否が登録される異常対応情報記憶手段を備え、
前記管理制御手段は、
前記無線通信手段が前記異常情報を受信すると、前記異常対応情報記憶手段の前記異常情報出力指示要否に基づいて、該無線通信手段による該無線端末への該異常情報出力指示の送信を制御することを特徴とする請求項６または請求項７記載の管理システム。
【請求項９】
管理対象への取付面に該管理対象に密接する状態で配設されて、密接状態でオフ、所定距離以上離れるとオンまたは距離に応じた検出値の検出信号を出力する離接検出手段による離接検出処理ステップと、
前記管理対象との間で近距離無線通信を行う近距離無線通信処理ステップと、
外部に異常情報を報知出力する報知処理ステップと、
前記離接検出処理ステップでの検出信号がオンまたは所定検出値を超えると、前記近距離無線通信処理ステップで近距離無線通信を行わせて、該近距離無線通信が無効または所定強度以下の通信強度であると、前記報知処理ステップで前記異常情報を報知出力させる制御処理ステップと、
を有していることを特徴とする無線端末管理方法。
【請求項１０】
制御プロセッサに、
管理対象への取付面に該管理対象に密接する状態で配設されて、密接状態でオフ、所定距離以上離れるとオンまたは距離に応じた検出値の検出信号を出力する離接検出手段による離接検出処理と、
前記管理対象との間で近距離無線通信を行う近距離無線通信処理と、
外部に異常情報を報知出力する報知処理と、
前記離接検出処理での検出信号がオンまたは所定検出値を超えると、前記近距離無線通信処理で近距離無線通信を行わせて、該近距離無線通信が無効または所定強度以下の通信強度であると、前記報知処理で前記異常情報を報知出力させる制御処理と、
を実行させることを特徴とする無線端末管理プログラム。
【発明の詳細な説明】
【技術分野】
【０００１】
本発明は、無線端末装置、管理システム、無線端末管理方法及び無線端末管理プログラムに関し、詳細には、物品、人等の管理対象に付与される無線端末装置自体が管理対象から剥がされたか否かを検出する無線端末装置、管理システム、無線端末管理方法及び無線端末管理プログラムに関する。
【背景技術】
【０００２】
近年、倉庫内の全ての物品に無線端末装置（無線タグ等）を貼って、該無線端末装置と管理装置との間で無線通信を行うことで、物品の位置や在庫の有無を管理するアセット管理システム、人に無線端末装置を持たせて人数や人の流れを管理する人管理システム、オフィス内等に設置されているコンセントに無線端末装置を差し込んで各フロアの電力を管理する電力管理システム等がある。
【０００３】
このような管理システムにおいては、従来、管理装置と無線端末装置とが、常時または所定時間間隔で無線通信を行い、管理装置が無線端末装置の存在を確認することで、管理対象の管理を行っている。
【０００４】
ところが、管理装置と無線端末装置とが、常時または所定時間間隔で無線通信を行うと、無線通信を行っている間、電力が消費され、特に、電池を電力源としている無線端末装置における電力消費を抑制することが管理システムの運営を適切に行う上で、重要となってきている。
【０００５】
また、管理システムにおいて、管理対象に無線端末装置を取り付けて管理対象の存在、移動等を管理する場合、無線端末装置が管理対象から外されて、管理装置の管理区域内に報知された状態で、管理対象のみが移動されたり、窃盗等が行われると、適切に管理することができない。
【０００６】
そして、従来、無線端末を構成するコンピュータおよび該コンピュータと接続された無線通信アダプタと、前記無線通信アダプタと無線で接続されたアクセスポイントとを有し、前記アクセスポイントが所定の一定間隔で信号を常時発し、前記無線端末との接続状態の監視をおこなう監視手段を有する無線ＬＡＮシステムが提案されている（特許文献１参照）。
【０００７】
すなわち、この従来技術は、監視対象である無線端末に接続されている無線端末装置である無線通信アダプタと、管理側のアクセスポイントとが一定間隔で無線交信して、監視手段が、無線端末の存在場所や移動等の監視を行っている。
【発明の概要】
【発明が解決しようとする課題】
【０００８】
しかしながら、上記公報記載の従来技術にあっては、無線端末に接続されている無線端末装置（無線通信アダプタ）と管理側（アクセスポイント）が一定間隔で無線交信している。したがって、無線端末装置側とアクセスポイント側の双方で、一定間隔毎に無線交信するための電力を消費することとなり、省電力が要求されている今日、消費電力を削減する上で、改良の必要があった。
【０００９】
また、公報記載の従来技術は、管理側（アクセスポイント）と無線端末装置（無線通信アダプタ）とが無線通信することで、無線端末装置に接続されている無線端末の存在を確認している。ところが、従来技術は、無線端末装置（無線通信アダプタ）が管理対象（無線端末）から取り外される事態や無線通信アダプタが取り外された無線端末が持ち去られることを検出することができない。その結果、無線端末装置を管理対象から取り外して、管理対象が持ち去られたり、無線端末装置自体の持ち去りに対して対応することができず、改良の必要があった。
【００１０】
そこで、本発明は、消費電力を抑制しつつ、管理対象からの無線端末装置の離脱を確実に検出することを目的としている。
【課題を解決するための手段】
【００１１】
上記目的を達成するために、請求項１記載の無線端末装置は、管理対象への取付面に該管理対象に密接する状態で配設されて、密接状態でオフ、所定距離以上離れるとオンまたは距離に応じた検出値の検出信号を出力する離接検出手段と、前記管理対象に設けられている管理近距離無線通信手段との間で近距離無線通信を行う近距離無線通信手段と、外部に異常情報を報知出力する報知手段と、前記離接検出手段の検出信号がオンまたは所定検出値を超えると、前記近距離無線通信手段に前記管理近距離無線通信手段と無線通信させ、該無線通信が無効または所定強度以下の通信強度であると、前記報知手段に前記異常情報を報知出力させる制御手段と、を備えていることを特徴としている。
【発明の効果】
【００１２】
本発明によれば、消費電力を抑制しつつ、管理対象からの無線端末装置の離脱を確実に検出することができる。
【図面の簡単な説明】
【００１３】
【図１】本発明の一実施例を適用した管理システムの構成図。
【図２】無線タグの取り付けられている管理対象物の斜視図。
【図３】無線タグの斜視図。
【図４】無線タグのブロック構成図。
【図５】無線タグによる無線タグ状態管理処理を示すフローチャート。
【図６】中継機による無線タグ状態管理処理を示すフローチャート。
【図７】管理サーバによる無線タグ状態管理処理を示すフローチャート。
【図８】コンセントとプラグの斜視図。
【発明を実施するための形態】
【００１４】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１５】
図１〜図８は、本発明の無線端末装置、管理システム、無線端末管理方法及び無線端末管理プログラムの一実施例を示す図であり、図１は、本発明の無線端末装置、管理システム、無線端末管理方法及び無線端末管理プログラムの一実施例を適用した管理システム１の構成図である。
【００１６】
図１において、管理システム１は、管理側装置として、管理サーバＫＳと複数の中継機ＫＣ１〜ＫＣｎを備え、管理対象側として、複数の建築物ＳＫ１〜ＳＫｎ内にそれぞれ位置する複数の管理対象物Ｂ１ａ〜Ｂ１ｍ、〜、Ｂｎａ〜Ｂｎｍと各管理対象物Ｂ１ａ〜Ｂ１ｍ、〜、Ｂｎａ〜Ｂｎｍに取り付けられている無線タグ（無線端末装置）Ｔ１ａ〜Ｔ１ｍ、〜、Ｔｎａ〜Ｔｎｍを備えている。
【００１７】
管理対象物Ｂ１ａ〜Ｂ１ｍ、〜、Ｂｎａ〜Ｂｎｍは、位置や在庫の有無等の管理対象の商品や配送用荷物等の物品、人数や流れ等の管理対象の人、電力管理用のコンセント等であるが、説明を明確にするために、本実施例では、物品であるとして説明する。
【００１８】
管理対象物Ｂ１ａ〜Ｂ１ｍ、〜、Ｂｎａ〜Ｂｎｍは、それぞれ２階建て等の建築物ＳＫ１〜ＳＫｎ内に収納されており、後述するように、管理用の無線タグＴ１ａ〜Ｔ１ｍ、〜、Ｔｎａ〜Ｔｎｍが取り付けられている。
【００１９】
無線タグＴ１ａ〜Ｔ１ｍ、〜、Ｔｎａ〜Ｔｎｍは、中継機ＫＣ１〜ＫＣｎと無線通信し、後述するように、自タグを特定するタグＩＤ等の情報を送信し、また、中継機ＫＣ１〜ＫＣｎからアラーム通知命令等の情報やコマンド（指示等）等を受信する。
【００２０】
中継機ＫＣ１〜ＫＣｎは、本実施例では、図１に波線の円錐形状で示す範囲を管理範囲ＫＡ１〜ＫＡｎとして、各管理範囲ＫＡ１〜ＫＡｎの建築物ＳＫ１〜ＳＫｎに位置する無線タグＴ１ａ〜Ｔ１ｍ、〜、Ｔｎａ〜Ｔｎｍと無線通信する。中継機ＫＣ１〜ＫＣｎは、自己の管理範囲ＫＡ１〜ＫＡｎから外れた無線タグＴ１ａ〜Ｔ１ｍ、〜、Ｔｎａ〜Ｔｎｍとは無線通信を行うことができない。
【００２１】
各中継機ＫＣ１〜ＫＣｎは、管理サーバＫＳと無線通信する。各中継機ＫＣ１〜ＫＣｎは、各無線タグＴ１ａ〜Ｔ１ｍ、〜、Ｔｎａ〜Ｔｎｍから受信した情報を管理サーバＫＳに送信し、また、管理サーバＫＳから受信した情報やコマンド等を無線タグＴ１ａ〜Ｔ１ｍ、〜、Ｔｎａ〜Ｔｎｍに送信する。
【００２２】
管理サーバＫＳは、例えば、通常のハードウェア構成及びソフトウェア構成のコンピュータに、本発明の無線端末管理方法を実行する無線端末管理プログラムを搭載したサーバを用いることができる。管理サーバＫＳは、該無線端末管理プログラムに基づいて、本発明の無線端末管理方法のうち、管理システム１の管理装置としての機能を実行する。
【００２３】
管理サーバＫＳは、それぞれの中継機ＫＣ１〜ＫＣｎから送られてくる情報に基づいて、どの管理範囲ＫＡ１〜ＫＡｎにどの管理対象物Ｂ１ａ〜Ｂ１ｍ、〜、Ｂｎａ〜Ｂｎｍが存在するか等の物品管理を行う。
【００２４】
管理システム１は、管理サーバＫＳと中継機ＫＣ１〜ＫＣｎとは、例えば、無線ＬＡＮ（Local Area Network）等の無線通信経路または有線ＬＡＮ等の有線通信経路で通信する。すなわち、管理サーバＫＳは、各中継機ＫＣ１〜ＫＣｎとのみ無線または有線で通信する通信部を備えている。
【００２５】
そして、各中継機ＫＣ１〜ＫＣｎは、管理サーバＫＳと通信する通信部を備えているとともに、自己の管理範囲ＫＡ１〜ＫＡｎの無線タグＴ１ａ〜Ｔ１ｍ、〜、Ｔｎａ〜Ｔｎｍと無線通信する無線通信部を備えている。
【００２６】
各中継機ＫＣ１〜ＫＣｎと無線タグＴ１ａ〜Ｔ１ｍ、〜、Ｔｎａ〜Ｔｎｍとは、Ｂｌｕｅｔｏｏｔｈ（登録商標）、ＵＷＢ（Ultra Wide Band）、ＺｉｇＢｅｅ等の無線ＰＡＮ（Personal Area Network）の通信方式で無線通信する。したがって、管理サーバＫＳ及び各中継機ＫＣ１〜ＫＣｎは、全体として、無線端末装置である無線タグＴ１ａ〜Ｔ１ｍ、〜、Ｔｎａ〜Ｔｎｍと無線通信して管理対象物Ｂ１ａ〜Ｂ１ｍ、〜、Ｂｎａ〜Ｂｎｍを管理する管理装置として機能している。
【００２７】
そして、各管理対象物Ｂ１ａ〜Ｂ１ｍ、〜、Ｂｎａ〜Ｂｎｍは、図２に示すように、それぞれ対応する無線タグＴ１ａ〜Ｔ１ｍ、〜、Ｔｎａ〜Ｔｎｍが取り付けられている。無線タグＴ１ａ〜Ｔ１ｍ、〜、Ｔｎａ〜Ｔｎｍは、管理対象物Ｂ１ａ〜Ｂ１ｍ、〜、Ｂｎａ〜Ｂｎｍの各面のうち、対応する中継機ＫＣ１〜ＫＣｎと無線通信を行いやすい位置に取り付けられている。
【００２８】
無線タグＴ１ａ〜Ｔ１ｍ、〜、Ｔｎａ〜Ｔｎｍは、図３に示すように、近距離無線通信部１１と光センサ１２が同じ面であって、管理対象物Ｂ１ａ〜Ｂ１ｍ、〜、Ｂｎａ〜Ｂｎｍに取り付けられる面（図３の貼付面）、すなわち、管理対象物Ｂ１ａ〜Ｂ１ｍ、〜、Ｂｎａ〜Ｂｎｍに対向する面に配設されている。
【００２９】
無線タグＴ１ａ〜Ｔ１ｍ、〜、Ｔｎａ〜Ｔｎｍは、その他に、タイマ１３、上記無線通信部１４、処理部１５、電源部１６、ジャイロ／加速度センサ１７、鳴動／発光部１８及びメモリ１９等を備えている。
【００３０】
近距離無線通信部（近距離無線通信手段）１１は、管理対象物Ｂ１ａ〜Ｂ１ｍ、〜、Ｂｎａ〜Ｂｎｍに内蔵または取り付けられている管理近距離無線通信部（管理近距離無線通信手段）との間で、例えば、ＲＦＩＤ（Radio Frequency Identification）方式等の近距離無線通信方式で無線通信を行う。近距離無線通信部１１及び管理対象物Ｂ１ａ〜Ｂ１ｍ、〜、Ｂｎａ〜Ｂｎｍの管理近距離無線通信部は、予め該近距離無線通信部１１及び管理対象物Ｂ１ａ〜Ｂ１ｍ、〜、Ｂｎａ〜Ｂｎｍの管理近距離無線通信部のそれぞれを特定する特定情報（ＩＤ等）や管理対象物Ｂ１ａ〜Ｂ１ｍ、〜、Ｂｎａ〜Ｂｎｍを管理するのに必要な管理情報を通信する。
【００３１】
光センサ（離接検出手段、光検出手段）１２は、管理対象物Ｂ１ａ〜Ｂ１ｍ、〜、Ｂｎａ〜Ｂｎｍに無線タグＴ１ａ〜Ｔ１ｍ、〜、Ｔｎａ〜Ｔｎｍが取り付けられた際に、管理対象物Ｂ１ａ〜Ｂ１ｍ、〜、Ｂｎａ〜Ｂｎｍに対向する状態で配設されており、例えば、フォトダイオードが用いられている。光センサ１２は、無線タグＴ１ａ〜Ｔ１ｍ、〜、Ｔｎａ〜Ｔｎｍが管理対象物Ｂ１ａ〜Ｂ１ｍ、〜、Ｂｎａ〜Ｂｎｍに取り付けられているときには、その入射光が管理対象物Ｂ１ａ〜Ｂ１ｍ、〜、Ｂｎａ〜Ｂｎｍによって塞がれている状態となる。すなわち、図３に示す無線タグＴ１ａ〜Ｔ１ｍ、〜、Ｔｎａ〜Ｔｎｍは、貼付面と記載されている面が、管理対象物Ｂ１ａ〜Ｂ１ｍ、〜、Ｂｎａ〜Ｂｎｍに貼り付けられる面である。そして、図３に示す無線タグＴ１ａ〜Ｔ１ｍ、〜、Ｔｎａ〜Ｔｎｍは、表面と記載されている面が、無線タグＴ１ａ〜Ｔ１ｍ、〜、Ｔｎａ〜Ｔｎｍの貼付面が管理対象物Ｂ１ａ〜Ｂ１ｍ、〜、Ｂｎａ〜Ｂｎｍに貼り付けられた結果、表面（外面）に向く面である。
【００３２】
したがって、光センサ１２は、無線タグＴ１ａ〜Ｔ１ｍ、〜、Ｔｎａ〜Ｔｎｍが適切に管理対象物Ｂ１ａ〜Ｂ１ｍ、〜、Ｂｎａ〜Ｂｎｍに取り付けられているときには、光が遮られており、オフ状態となっている。光センサ１２は、無線タグＴ１ａ〜Ｔ１ｍ、〜、Ｔｎａ〜Ｔｎｍが管理対象物Ｂ１ａ〜Ｂ１ｍ、〜、Ｂｎａ〜Ｂｎｍから剥がされる等の異常状態になると、外部光が入射して、受光量に応じた検出電圧（検出信号）を処理部１５へ出力する。
【００３３】
なお、本実施例では、無線タグＴ１ａ〜Ｔ１ｍ、〜、Ｔｎａ〜Ｔｎｍの管理対象物Ｂ１ａ〜Ｂ１ｍ、〜、Ｂｎａ〜Ｂｎｍに対する離接状態を、光センサ１２で検出しているが、離接検出手段としては、光センサ１２に限るものではなく、管理対象物Ｂ１ａ〜Ｂ１ｍ、〜、Ｂｎａ〜Ｂｎｍとの離接状態を消費電力を抑制しつつ検出することのできるセンサであれば、どのようなセンサであってもよい。
【００３４】
処理部（制御手段）１５は、光センサ１２の検出電圧が予め設定されている閾値電圧（所定検出値）を超えると、無線タグＴ１ａ〜Ｔ１ｍ、〜、Ｔｎａ〜Ｔｎｍが管理対象物Ｂ１ａ〜Ｂ１ｍ、〜、Ｂｎａ〜Ｂｎｍから外されたり、適切に取り付けられていない異常状態であると判断する。
【００３５】
タイマ１３は、発振器や分周器を備えて、現在時刻を計時し、処理部１５に計時時刻を出力する。
【００３６】
無線通信部１４は、上記中継機ＫＣ１〜ＫＣｎと通信する通信部であり、処理部１５の制御下で、上記無線ＰＡＮ（Personal Area Network）の通信方式で中継機ＫＣ１〜ＫＣｎと無線通信する。
【００３７】
電源部１６は、ボタン電池等の電池と電源回路を備えており、無線タグＴ１ａ〜Ｔ１ｍ、〜、Ｔｎａ〜Ｔｎｍの各部へ必要な電源電力を供給する。
【００３８】
ジャイロ／加速度センサ（離接検出手段）１７は、物体の角度や角速度をジャイロセンサで検出し、加速度センサで物体の角度や角速度を検出する。ジャイロ／加速度センサ１７は、検出結果を処理部１５に出力する。このジャイロ／加速度センサ１７は、管理対象物Ｂ１ａ〜Ｂ１ｍ、〜、Ｂｎａ〜Ｂｎｍの周囲の明かりが消滅して、光センサ１２によっては、無線タグＴ１ａ〜Ｔ１ｍ、〜、Ｔｎａ〜Ｔｎｍが管理対象物Ｂ１ａ〜Ｂ１ｍ、〜、Ｂｎａ〜Ｂｎｍから取り外された等の異常状態を検出することができない時間帯に、無線タグＴ１ａ〜Ｔ１ｍ、〜、Ｔｎａ〜Ｔｎｍが管理対象物Ｂ１ａ〜Ｂ１ｍ、〜、Ｂｎａ〜Ｂｎｍから取り外されるような動きがあったかを検出する。
【００３９】
鳴動／発光部（報知手段）１８は、振動子やＬＥＤ（Light Emitting Diode）等の発光素子を備えている。振動子は、処理部１５の制御下で振動して、無線タグＴ１ａ〜Ｔ１ｍ、〜、Ｔｎａ〜Ｔｎｍ全体に振動を与え、発光素子は、処理部１５の制御下で点灯、点滅等の発光動作を行なって、無線タグＴ１ａ〜Ｔ１ｍ、〜、Ｔｎａ〜Ｔｎｍの外部に光を放出することで、異常情報を報知出力する。なお、報知手段としては、鳴動／発光部１８に限るものではなく、例えば、異常情報を音声で覚醒出力する音声出力部（音声出力手段）であってもよいし、後述するように、異常情報を外部の中継機ＫＣ１〜ＫＣｎを通して管理範囲ＫＡ１〜ＫＡｎに送信する無線通信部１４も、報知手段として機能する。
【００４０】
メモリ（記憶手段、情報記憶手段）１９は、不揮発性メモリ等が用いられ、管理対象物Ｂ１ａ〜Ｂ１ｍ、〜、Ｂｎａ〜Ｂｎｍの管理に必要なプログラム及び管理情報等の情報を電源部１６の電源電力が喪失しても記憶するが、処理部１５によって必要に応じて消去・書き換えが行われる。
【００４１】
例えば、メモリ１９は、無線タグＴ１ａ〜Ｔ１ｍ、〜、Ｔｎａ〜Ｔｎｍ自体を識別する識別子（ＩＤ：identification）、位置情報、光センサ１２の出力する検出電圧が異常状態であるか否かを識別する識別電圧、後述するジャイロ／加速度センサ１７によって異常状態発生の検出を行う時間帯及び管理情報等を記憶している。
【００４２】
また、メモリ１９は、情報の漏洩防止のために、処理部１５によって全ての記憶内容が消去されたり、記憶内容の読み取りが不可能なようにロックがかけられる。
【００４３】
無線タグＴ１ａ〜Ｔ１ｍ、〜、Ｔｎａ〜Ｔｎｍは、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Versatile Disk）、ＳＤ（Secure Digital）カード、ＭＯ（Magneto-Optical Disc）等のコンピュータが読み取り可能な記録媒体に記録されている本発明の無線端末管理方法を実行する無線端末管理プログラムを読み込んでメモリ１９に導入することで、後述する無線タグＴ１ａ〜Ｔ１ｍ、〜、Ｔｎａ〜Ｔｎｍが管理対象物Ｂ１ａ〜Ｂ１ｍ、〜、Ｂｎａ〜Ｂｎｍに正常に取り付けられていない異常状態にあるか否かを検出する無線端末管理方法を実行する無線端末装置として構築されている。この無線端末管理プログラムは、アセンブラ、Ｃ、Ｃ＋＋、Ｃ＃、Ｊａｖａ（登録商標）等のレガシープログラミング言語やオブジェクト指向ブログラミング言語等で記述されたコンピュータ実行可能なプログラムであり、上記記録媒体に格納して頒布することができる。
【００４４】
次に、本実施例の作用について説明する。本実施例の管理システム１は、管理対象物Ｂ１ａ〜Ｂ１ｍ、〜、Ｂｎａ〜Ｂｎｍからの無線タグＴ１ａ〜Ｔ１ｍ、〜、Ｔｎａ〜Ｔｎｍの剥がされ等の異常状態を検出する無線タグ状態管理処理を行う。
【００４５】
管理システム１は、管理対象物Ｂ１ａ〜Ｂ１ｍ、〜、Ｂｎａ〜Ｂｎｍに、該管理対象物Ｂ１ａ〜Ｂ１ｍ、〜、Ｂｎａ〜Ｂｎｍを管理するための無線タグＴ１ａ〜Ｔ１ｍ、〜、Ｔｎａ〜Ｔｎｍが取り付けられている。管理システム１は、管理サーバＫＳが、中継機ＫＣ１〜ＫＣｎｗ通して該無線タグＴ１ａ〜Ｔ１ｍ、〜、Ｔｎａ〜Ｔｎｍと無線通信することで、無線タグＴ１ａ〜Ｔ１ｍ、〜、Ｔｎａ〜Ｔｎｍの位置、すなわち、管理対象物Ｂ１ａ〜Ｂ１ｍ、〜、Ｂｎａ〜Ｂｎｍの位置を確認することができる。
【００４６】
そして、管理システム１は、無線タグＴ１ａ〜Ｔ１ｍ、〜、Ｔｎａ〜Ｔｎｍが、その光センサ１２が管理対象物Ｂ１ａ〜Ｂ１ｍ、〜、Ｂｎａ〜Ｂｎｍに対して対向して外光が入り込まない状態で取り付けられている。管理システム１は、光センサ１２による光の検出結果に基づいて、無線タグＴ１ａ〜Ｔ１ｍ、〜、Ｔｎａ〜Ｔｎｍが管理対象物Ｂ１ａ〜Ｂ１ｍ、〜、Ｂｎａ〜Ｂｎｍから取り外される等の異常状態であるか検出する。
【００４７】
すなわち、無線タグＴ１ａ〜Ｔ１ｍ、〜、Ｔｎａ〜Ｔｎｍは、所定タイミング毎に、処理部１５が、光センサ１２の検出電圧（出力）を取り込む（ステップＳ１０１）。処理部１５は、該検出電圧（受光量）が予め設定されている閾値受光量を示す閾値電圧以上であるかチェックする（ステップＳ１０２）。
【００４８】
ステップＳ１０２で、検出電圧（受光量）が閾値電圧（閾値受光量）未満であると、処理部１５は、ステップＳ１０１に戻って、光センサ１２の検出電圧の取得から同様に処理する（ステップＳ１０１、Ｓ１０２）。
【００４９】
ステップＳ１０２で、検出電圧（受光量）が閾値電圧（閾値受光量）以上であると、処理部１５は、近距離無線通信部１１に、無線タグＴ１ａ〜Ｔ１ｍ、〜、Ｔｎａ〜Ｔｎｍが取り付けられていた管理対象物Ｂ１ａ〜Ｂ１ｍ、〜、Ｂｎａ〜Ｂｎｍの管理近距離無線通信部との間で近距離無線通信を開始させる（ステップＳ１０３）。
【００５０】
処理部１５は、近距離無線通信部１１に通信を開始させると、近接無線通信の相手が存在するかを、近距離無線通信部１１による該管理対象物Ｂ１ａ〜Ｂ１ｍ、〜、Ｂｎａ〜Ｂｎｍの管理近距離無線通信部との近距離無線通信の結果に基づいて判定する（ステップＳ１０４）。
【００５１】
ステップＳ１０４で、近距離無線通信の相手が存在するとき、すなわち、管理対象物Ｂ１ａ〜Ｂ１ｍ、〜、Ｂｎａ〜Ｂｎｍの近距離無線通信と近距離無線通信が確立し、所定の通信強度以上であるとき（ステップＳ１０４で、ＹＥＳのとき）には、処理部１５は、無線タグＴ１ａ〜Ｔ１ｍ、〜、Ｔｎａ〜Ｔｎｍは正常であると判断して、ステップＳ１０１に戻って、同様に処理する（ステップＳ１０１〜Ｓ１０４）。
【００５２】
ステップＳ１０４で、近距離無線通信の相手が存在しないとき（ステップＳ１０４で、ＮＯのとき）には、処理部１５は、無線タグＴ１ａ〜Ｔ１ｍ、〜、Ｔｎａ〜Ｔｎｍが管理対象物Ｂ１ａ〜Ｂ１ｍ、〜、Ｂｎａ〜Ｂｎｍから剥がされる等の異常状態であるおそれがある判断する。すなわち、処理部１５は、近距離無線通信が確立しないか、所定の通信強度未満であると、無線タグＴ１ａ〜Ｔ１ｍ、〜、Ｔｎａ〜Ｔｎｍが管理対象物Ｂ１ａ〜Ｂ１ｍ、〜、Ｂｎａ〜Ｂｎｍから剥がされたおそれがあると判断する。
【００５３】
処理部１５は、無線通信部１４を駆動させて、無線ＰＡＮ通信方式等で、異常状態の発生を通知する異常通知信号（異常情報）を送信するとともに、無線タグＴ１ａ〜Ｔ１ｍ、〜、Ｔｎａ〜Ｔｎｍ及び管理対象物Ｂ１ａ〜Ｂ１ｍ、〜、Ｂｎａ〜Ｂｎｍを識別するための情報（例えば、識別子（ＩＤ）、元の位置情報等）を、図５に示すように、中継機ＫＣ１〜ＫＣｎへ送信させる。
【００５４】
処理部１５は、その後、図５に示すように、無線通信部１４が中継機ＫＣ１〜ＫＣｎからアラーム通知命令（異常情報出力指示）を受信すると（ステップＳ１０６）、鳴動／発光部１８を駆動させて、振動や発光等によって異常状態の発生を報知出力する（ステップＳ１０７）。
【００５５】
処理部１５は、異常報知を行うと、タイマ１３が予め設定されている待ち時間経過するのを待って（ステップＳ１０８）、待ち時間が経過すると、メモリ１９に記憶されている情報（データ）を全て消去して端末管理処理を終了する（ステップＳ１０９）。
【００５６】
そして、中継機ＫＣ１〜ＫＣｎは、図６に示すように無線タグ状態管理処理を行う。すなわち、中継機ＫＣ１〜ＫＣｎは、無線タグＴ１ａ〜Ｔ１ｍ、〜、Ｔｎａ〜Ｔｎｍからの信号を待ち（ステップＳ２０１）、無線通信部が無線タグＴ１ａ〜Ｔ１ｍ、〜、Ｔｎａ〜Ｔｎｍからの信号を受信する（ステップＳ２０２）。中継機ＫＣ１〜ＫＣｎは、無線通信部が信号を受信すると、受信した信号が異常通知信号（異常通知）であるかチェックする（ステップＳ２０３）。
【００５７】
ステップＳ２０３で、受信した信号が異常通知信号でないとき（ステップＳ２０３で、ＮＯのとき）には、中継機ＫＣ１〜ＫＣｎは、その信号に応じた処理を行って、無線タグＴ１ａ〜Ｔ１ｍ、〜、Ｔｎａ〜Ｔｎｍから信号が送られてくると、該信号の受信を行う（ステップＳ２０２）。
【００５８】
ステップＳ２０３で、受信した信号が異常通知信号であると（ステップＳ２０３で、ＹＥＳのとき）、中継機ＫＣ１〜ＫＣｎは、図６に示すように、管理サーバＫＳへ、異常通知信号を送信するとともに、異常通知信号の送信元の無線タグＴ１ａ〜Ｔ１ｍ、〜、Ｔｎａ〜Ｔｎｍ及び管理対象物Ｂ１ａ〜Ｂ１ｍ、〜、Ｂｎａ〜Ｂｎｍを識別するための情報（例えば、識別子（ＩＤ）、元の位置情報等）を送信する異常通知を行う（ステップＳ２０４）。
【００５９】
中継機ＫＣ１〜ＫＣｎは、異常通知を管理サーバＫＳへ行うと、管理サーバＫＳからの指示を待つ（ステップＳ２０５）。中継機ＫＣ１〜ＫＣｎは、アラーム通知命令（異常情報出力指示）を管理サーバＫＳから受信すると（ステップＳ２０６）、アラーム通知命令を異常通知を送ってきた無線タグＴ１ａ〜Ｔ１ｍ、〜、Ｔｎａ〜Ｔｎｍへ送信する（ステップＳ２０７）。
【００６０】
そして、管理サーバＫＳは、図７に示すように、無線タグ状態管理処理を行う。すなわち、管理サーバＫＳは、中継機ＫＣ１〜ＫＣｎからの信号を待ち（ステップＳ３０１）、通信部が中継機ＫＣ１〜ＫＣｎからの信号を受信する（ステップＳ３０２）。管理サーバＫＳは、通信部が信号を受信すると、受信した信号が異常通知信号であるかチェックする（ステップＳ３０３）。
【００６１】
ステップＳ３０３で、受信した信号が異常通知信号でないとき（ステップＳ３０３で、ＮＯのとき）には、管理サーバＫＳは、その信号に応じた処理を行って、中継機ＫＣ１〜ＫＣｎから信号が送られてくると、該信号の受信を行う（ステップＳ３０２）。
【００６２】
ステップＳ３０３で、受信した信号が異常通知信号であると（ステップＳ３０３で、ＹＥＳのとき）、管理サーバＫＳは、予めアラーム解除命令（異常情報出力指示の要否のうち、異常情報出力指示要）があるかチェックする（ステップＳ３０４）。このアラーム解除命令は、アラームの発生が不要であることを示すフラグであり、管理システム１の管理者等によって適宜設定されて内部メモリ等に格納されている。このアラーム解除命令は、管理システム１の管理する全ての無線タグＴ１ａ〜Ｔ１ｍ、〜、Ｔｎａ〜Ｔｎｍに対して一括して設定されていてもよいし、中継機ＫＣ１〜ＫＣｎ毎や無線タグＴ１ａ〜Ｔ１ｍ、〜、Ｔｎａ〜Ｔｎｍ毎に設定されていてもよい。
【００６３】
ステップＳ３０４で、アラーム解除命令がないとき（ステップＳ３０４で、ＮＯのとき）には、管理サーバＫＳは、アラームを発生させる必要があるとして、図７に示すように、中継機ＫＣ１〜ＫＣｎへアラーム通知命令を送信する（ステップＳ３０５）。
【００６４】
ステップＳ３０４で、アラーム解除命令があると（ステップＳ３０４で、ＹＥＳのとき）、管理サーバＫＳは、中継機ＫＣ１〜ＫＣｎへのアラーム通知命令の送信を行うことなく、ステップＳ３０２に戻って、次の中継機ＫＣ１〜ＫＣｎからの信号受信を行う処理から上記同様に処理する（ステップＳ３０２〜Ｓ３０５）。
【００６５】
なお、図５から図７では示されていないが、無線タグＴ１ａ〜Ｔ１ｍ、〜、Ｔｎａ〜Ｔｎｍは、管理対象物Ｂ１ａ〜Ｂ１ｍ、〜、Ｂｎａ〜Ｂｎｍの保管場所の周囲の明るさが暗くなる時間帯が存在するときには、光センサ１２の代わりにジャイロ／加速度センサ１７を用いて、無線タグＴ１ａ〜Ｔ１ｍ、〜、Ｔｎａ〜Ｔｎｍと管理対象物Ｂ１ａ〜Ｂ１ｍ、〜、Ｂｎａ〜Ｂｎｍとの離接状態を検出してもよい。
【００６６】
すなわち、管理対象物Ｂ１ａ〜Ｂ１ｍ、〜、Ｂｎａ〜Ｂｎｍの配置されている建築物ＳＫ１〜ＳＫｎが照明灯のみの明かりであるときには、照明灯が消灯される時間帯、外部光のみが明かりであるときには、外部光が入らなくなる時間帯をタイマ１３に無光時間帯としてセットして、無光時間帯では、光センサ１２の代わりにジャイロ／加速度センサ１７を用いて、無線タグＴ１ａ〜Ｔ１ｍ、〜、Ｔｎａ〜Ｔｎｍが管理対象物Ｂ１ａ〜Ｂ１ｍ、〜、Ｂｎａ〜Ｂｎｍに取り付けられている管理範囲ＫＡ１〜ＫＡｎがされているかを検出する。
【００６７】
なお、上記説明では、省いているが、管理対象が、電力であって、無線タグＴ１ａ〜Ｔ１ｍ、〜、Ｔｎａ〜Ｔｎｍを、プラグに適用する場合には、図８に示すように、プラグ２０自体が上記無線タグの機能を内蔵している。そして、プラグ２０は、その刃２１の設けられている面、すなわち、コンセント２５にプラグ２０が差し込まれたときに、コンセント２５と対向する面に光センサ２２が設けられている。この場合、プラグ２１が管理対象のコンセント２５から引き抜かれたか否かを、光センサ２２の出力する検出信号で上記同様に検出する。なお、プラグ２０及びコンセント２５は、図示しないが、近距離無線通信部を内蔵して、上記同様に機能する。
【００６８】
このように、本実施例の管理システム１は、管理対象物Ｂ１ａ〜Ｂ１ｍ、〜、Ｂｎａ〜Ｂｎｍへの取付面に該管理対象物Ｂ１ａ〜Ｂ１ｍ、〜、Ｂｎａ〜Ｂｎｍに密接する状態で配設されて、密接状態でオフ、所定距離以上離れるとオンまたは距離に応じた検出値の検出信号を出力する光センサ（離接検出手段）１２と、管理対象物Ｂ１ａ〜Ｂ１ｍ、〜、Ｂｎａ〜Ｂｎｍに設けられている管理近距離無線通信部（管理近距離無線通信手段）との間で近距離無線通信を行う近距離無線通信部（近距離無線通信手段）１１と、外部に異常情報を報知出力する鳴動／発光部（報知手段）１８と、光センサ１２の検出信号がオンまたは所定検出値を超えると、近距離無線通信部１１に管理対象物Ｂ１ａ〜Ｂ１ｍ、〜、Ｂｎａ〜Ｂｎｍの管理近距離無線通信部と無線通信させ、該無線通信が無効または所定強度以下の通信強度であると、鳴動／発光部１８に異常情報を報知出力させる処理部（制御手段）１５と、を備えている。
【００６９】
したがって、管理対象物Ｂ１ａ〜Ｂ１ｍ、〜、Ｂｎａ〜Ｂｎｍの管理を行うために該管理対象物Ｂ１ａ〜Ｂ１ｍ、〜、Ｂｎａ〜Ｂｎｍに取り付けられている無線タグＴ１ａ〜Ｔ１ｍ、〜、Ｔｎａ〜Ｔｎｍが取り外される等の異常状態発生の有無を、無線タグＴ１ａ〜Ｔ１ｍ、〜、Ｔｎａ〜Ｔｎｍが管理対象物Ｂ１ａ〜Ｂ１ｍ、〜、Ｂｎａ〜Ｂｎｍから離れたときのみ信号を出力する光センサ１２で検出する。その結果、消費電力を抑制しつつ、管理対象物Ｂ１ａ〜Ｂ１ｍ、〜、Ｂｎａ〜Ｂｎｍからの無線タグＴ１ａ〜Ｔ１ｍ、〜、Ｔｎａ〜Ｔｎｍの離脱を確実に検出することができる。
【００７０】
また、本実施例の管理システム１は、管理対象物Ｂ１ａ〜Ｂ１ｍ、〜、Ｂｎａ〜Ｂｎｍに取り付けられる無線タグＴ１ａ〜Ｔ１ｍ、〜、Ｔｎａ〜Ｔｎｍと、該無線タグＴ１ａ〜Ｔ１ｍ、〜、Ｔｎａ〜Ｔｎｍと無線通信して該管理対象を管理する管理サーバＫＳと、を備えた管理システムであって、無線タグＴ１ａ〜Ｔ１ｍ、〜、Ｔｎａ〜Ｔｎｍが、管理対象物Ｂ１ａ〜Ｂ１ｍ、〜、Ｂｎａ〜Ｂｎｍへの取付面に該管理対象物Ｂ１ａ〜Ｂ１ｍ、〜、Ｂｎａ〜Ｂｎｍに密接する状態で配設されて、密接状態でオフ、所定距離以上離れるとオンまたは距離に応じた検出値の検出信号を出力する光センサ（離接検出手段）１２と、管理対象物Ｂ１ａ〜Ｂ１ｍ、〜、Ｂｎａ〜Ｂｎｍに設けられている管理近距離無線通信部（管理近距離無線通信手段）との間で近距離無線通信を行う近距離無線通信部（近距離無線通信手段）１１と、外部に異常情報を報知出力する鳴動／発光部（報知手段）１８と、管理サーバＫＳと無線通信する無線通信部（無線通信手段）１４と、光センサ１２の検出信号がオンまたは所定検出値を超えると、近距離無線通信部１１に前記管理近距離無線通信手段と無線通信させ、該無線通信が無効または所定強度以下の通信強度であると、前記無線通信部１４に異常情報を管理サーバＫＳへ無線送信させ、該無線通信部１４が該管理サーバＫＳから異常情報出力指示を受信すると、鳴動／発光部１８に前記異常情報を報知出力させる処理部（端末制御手段）１５と、を備え、管理サーバＫＳが、無線タグＴ１ａ〜Ｔ１ｍ、〜、Ｔｎａ〜Ｔｎｍと無線通信する無線通信部（無線通信手段）と、無線通信部が前記異常情報を受信すると、該異常情報に基づいて無線タグＴ１ａ〜Ｔ１ｍ、〜、Ｔｎａ〜Ｔｎｍが管理対象物Ｂ１ａ〜Ｂ１ｍ、〜、Ｂｎａ〜Ｂｎｍから取り外されたか否かを判定して、取り外されたと判定すると、前記異常情報出力指示を無線通信部に該無線タグＴ１ａ〜Ｔ１ｍ、〜、Ｔｎａ〜Ｔｎｍへ送信させる管理制御部（管理制御手段）と、を備えている。
【００７１】
したがって、管理対象物Ｂ１ａ〜Ｂ１ｍ、〜、Ｂｎａ〜Ｂｎｍの管理を行うために該管理対象物Ｂ１ａ〜Ｂ１ｍ、〜、Ｂｎａ〜Ｂｎｍに取り付けられている無線タグＴ１ａ〜Ｔ１ｍ、〜、Ｔｎａ〜Ｔｎｍが取り外される等の異常状態発生の有無を、無線タグＴ１ａ〜Ｔ１ｍ、〜、Ｔｎａ〜Ｔｎｍが管理対象物Ｂ１ａ〜Ｂ１ｍ、〜、Ｂｎａ〜Ｂｎｍから離れたときのみ信号を出力する光センサ１２で検出する。その結果、管理システム１全体の消費電力を抑制しつつ、管理対象物Ｂ１ａ〜Ｂ１ｍ、〜、Ｂｎａ〜Ｂｎｍからの無線タグＴ１ａ〜Ｔ１ｍ、〜、Ｔｎａ〜Ｔｎｍの離脱を確実に検出することができる。
【００７２】
さらに、本実施例の管理システム１は、無線タグＴ１ａ〜Ｔ１ｍ、〜、Ｔｎａ〜Ｔｎｍが、少なくとも自装置を特定するＩＤ（端末特定情報）を含む管理情報を記憶するメモリ（記憶手段）１９を備え、処理部１５が、無線通信部１４に前記異常情報を管理サーバＫＳへ送信させる際に、メモリ１９の前記管理情報をも該管理サーバＫＳへ送信させ、管理サーバＫＳが、その管理制御部で、前記管理情報に基づいて前記異常情報を送信してきた無線タグＴ１ａ〜Ｔ１ｍ、〜、Ｔｎａ〜Ｔｎｍを特定して無線タグＴ１ａ〜Ｔ１ｍ、〜、Ｔｎａ〜Ｔｎｍが管理対象物Ｂ１ａ〜Ｂ１ｍ、〜、Ｂｎａ〜Ｂｎｍから取り外されたか否かの判定を含む異常管理を行う。
【００７３】
したがって、管理サーバＫＳがより一層適切かつ正確に管理対象物Ｂ１ａ〜Ｂ１ｍ、〜、Ｂｎａ〜Ｂｎｍから無線タグＴ１ａ〜Ｔ１ｍ、〜、Ｔｎａ〜Ｔｎｍが盗難等で取り外されたかを確認して、対応することができる。
【００７４】
また、本実施例の管理システム１は、管理サーバＫＳが、前記異常情報出力指示の要否が登録されるメモリ（異常対応情報記憶手段）を備え、前記異常情報を受信すると、該メモリの前記異常情報出力指示要否に基づいて、該無線端末への該異常情報出力指示の送信を制御する。
【００７５】
したがって、管理システム１の管理体制や必要性に応じて管理対象物Ｂ１ａ〜Ｂ１ｍ、〜、Ｂｎａ〜Ｂｎｍから無線タグＴ１ａ〜Ｔ１ｍ、〜、Ｔｎａ〜Ｔｎｍが取り外されることに対する管理を行うことができ、消費電力を削減しつつ、管理の利用性を向上させることができる。
【００７６】
さらに、本実施例の管理システム１は、その無線タグＴ１ａ〜Ｔ１ｍ、〜、Ｔｎａ〜Ｔｎｍが、管理対象物Ｂ１ａ〜Ｂ１ｍ、〜、Ｂｎａ〜Ｂｎｍへの取付面に該管理対象物Ｂ１ａ〜Ｂ１ｍ、〜、Ｂｎａ〜Ｂｎｍに密接する状態で配設されて、密接状態でオフ、所定距離以上離れるとオンまたは距離に応じた検出値の検出信号を出力する光センサ（離接検出手段）による離接検出処理ステップと、管理対象物Ｂ１ａ〜Ｂ１ｍ、〜、Ｂｎａ〜Ｂｎｍとの間で近距離無線通信を行う近距離無線通信処理ステップと、外部に異常情報を報知出力する報知処理ステップと、前記離接検出処理ステップでの検出信号がオンまたは所定検出値を超えると、前記近距離無線通信処理ステップで近距離無線通信を行わせて、該近距離無線通信が無効または所定強度以下の通信強度であると、前記報知処理ステップで前記異常情報を報知出力させる制御処理ステップと、を有する無線端末管理方法を実行している。
【００７７】
したがって、管理対象物Ｂ１ａ〜Ｂ１ｍ、〜、Ｂｎａ〜Ｂｎｍの管理を行うために該管理対象物Ｂ１ａ〜Ｂ１ｍ、〜、Ｂｎａ〜Ｂｎｍに取り付けられている無線タグＴ１ａ〜Ｔ１ｍ、〜、Ｔｎａ〜Ｔｎｍが取り外される等の異常状態発生の有無を、無線タグＴ１ａ〜Ｔ１ｍ、〜、Ｔｎａ〜Ｔｎｍが管理対象物Ｂ１ａ〜Ｂ１ｍ、〜、Ｂｎａ〜Ｂｎｍから離れたときのみ信号を出力する光センサ１２で検出する。その結果、管理システム１全体の消費電力を抑制しつつ、管理対象物Ｂ１ａ〜Ｂ１ｍ、〜、Ｂｎａ〜Ｂｎｍからの無線タグＴ１ａ〜Ｔ１ｍ、〜、Ｔｎａ〜Ｔｎｍの離脱を確実に検出することができる。
【００７８】
また、本実施例の管理システム１は、その無線タグＴ１ａ〜Ｔ１ｍ、〜、Ｔｎａ〜Ｔｎｍが、処理部（制御プロセッサ）１５に、管理対象物Ｂ１ａ〜Ｂ１ｍ、〜、Ｂｎａ〜Ｂｎｍへの取付面に該管理対象物Ｂ１ａ〜Ｂ１ｍ、〜、Ｂｎａ〜Ｂｎｍに密接する状態で配設されて、密接状態でオフ、所定距離以上離れるとオンまたは距離に応じた検出値の検出信号を出力する光センサ１２による離接検出処理と、管理対象物Ｂ１ａ〜Ｂ１ｍ、〜、Ｂｎａ〜Ｂｎｍとの間で近距離無線通信を行う近距離無線通信処理と、外部に異常情報を報知出力する報知処理と、前記離接検出処理での検出信号がオンまたは所定検出値を超えると、前記近距離無線通信処理で近距離無線通信を行わせて、該近距離無線通信が無効または所定強度以下の通信強度であると、前記報知処理で前記異常情報を報知出力させる制御処理と、を実行させる無線端末管理プログラムを搭載している。
【００７９】
したがって、管理対象物Ｂ１ａ〜Ｂ１ｍ、〜、Ｂｎａ〜Ｂｎｍの管理を行うために該管理対象物Ｂ１ａ〜Ｂ１ｍ、〜、Ｂｎａ〜Ｂｎｍに取り付けられている無線タグＴ１ａ〜Ｔ１ｍ、〜、Ｔｎａ〜Ｔｎｍが取り外される等の異常状態発生の有無を、無線タグＴ１ａ〜Ｔ１ｍ、〜、Ｔｎａ〜Ｔｎｍが管理対象物Ｂ１ａ〜Ｂ１ｍ、〜、Ｂｎａ〜Ｂｎｍから離れたときのみ信号を出力する光センサ１２で検出する。その結果、管理システム１全体の消費電力を抑制しつつ、管理対象物Ｂ１ａ〜Ｂ１ｍ、〜、Ｂｎａ〜Ｂｎｍからの無線タグＴ１ａ〜Ｔ１ｍ、〜、Ｔｎａ〜Ｔｎｍの離脱を確実に検出することができる。
【００８０】
さらに、本実施例の管理システム１の無線タグＴ１ａ〜Ｔ１ｍ、〜、Ｔｎａ〜Ｔｎｍは、前記離接検出手段が、管理対象物Ｂ１ａ〜Ｂ１ｍ、〜、Ｂｎａ〜Ｂｎｍへの取付面に該管理対象物Ｂ１ａ〜Ｂ１ｍ、〜、Ｂｎａ〜Ｂｎｍに密接する状態で配設されている光センサ（光検出手段）１２である。
【００８１】
したがって、簡単な構成で、消費電力を削減しつつ、無線タグＴ１ａ〜Ｔ１ｍ、〜、Ｔｎａ〜Ｔｎｍの管理対象物Ｂ１ａ〜Ｂ１ｍ、〜、Ｂｎａ〜Ｂｎｍに対する状態を検出することができる。
【００８２】
また、本実施例の管理システム１の無線タグＴ１ａ〜Ｔ１ｍ、〜、Ｔｎａ〜Ｔｎｍは、少なくとも管理対象物Ｂ１ａ〜Ｂ１ｍ、〜、Ｂｎａ〜Ｂｎｍを特定するＩＤ（管理対象特定情報）を記憶するメモリ（記憶手段）１９を備え、近距離無線通信部１１が、管理対象物Ｂ１ａ〜Ｂ１ｍ、〜、Ｂｎａ〜Ｂｎｍの管理近距離無線通信部から管理対象物Ｂ１ａ〜Ｂ１ｍ、〜、Ｂｎａ〜Ｂｎｍを特定する管理対象特定情報を取得し、処理部１５が、近距離無線通信部１１が取得した前記管理対象特定情報が、メモリ１９の前記管理対象特定情報と異なると、鳴動／発光部１８に前記異常情報を報知出力させている。
【００８３】
したがって、無線タグＴ１ａ〜Ｔ１ｍ、〜、Ｔｎａ〜Ｔｎｍが管理対象物Ｂ１ａ〜Ｂ１ｍ、〜、Ｂｎａ〜Ｂｎｍから取り外されたことをより一層確実に検出することができ、検出精度を向上させることができる。
【００８４】
さらに、本実施例の管理システム１の無線タグＴ１ａ〜Ｔ１ｍ、〜、Ｔｎａ〜Ｔｎｍは、前記報知手段が、音声出力手段、発光手段、鳴動手段である鳴動／発光部１８及び無線タグＴ１ａ〜Ｔ１ｍ、〜、Ｔｎａ〜Ｔｎｍを通して管理対象物Ｂ１ａ〜Ｂ１ｍ、〜、Ｂｎａ〜Ｂｎｍを管理する管理サーバＫＳへ異常情報を送信する無線通信部（無線通信手段）１４のうち少なくとも１つを備えている。
【００８５】
したがって、無線タグＴ１ａ〜Ｔ１ｍ、〜、Ｔｎａ〜Ｔｎｍの盗難等に対して効果的に異常を報知出力することができる。
【００８６】
また、本実施例の管理システム１の無線タグＴ１ａ〜Ｔ１ｍ、〜、Ｔｎａ〜Ｔｎｍは、管理対象物Ｂ１ａ〜Ｂ１ｍ、〜、Ｂｎａ〜Ｂｎｍを管理するのに必要な各種情報を記憶するメモリ（情報記憶手段）１９を備え、処理部（制御手段）１５が、前記異常情報を鳴動／発光部１８に報知出力させるとともに、メモリ１９の記憶する前記情報を消去または読み取り不可能な状態にする。
【００８７】
したがって、無線タグＴ１ａ〜Ｔ１ｍ、〜、Ｔｎａ〜Ｔｎｍが盗難等にあっても、メモリ１９内の情報が漏洩することを防止することができる。
【００８８】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【符号の説明】
【００８９】
１  管理システム
ＫＳ  管理サーバ
ＫＣ１〜ＫＣｎ  中継機
ＳＫ１〜ＳＫｎ  建築物
Ｂ１ａ〜Ｂ１ｍ、〜、Ｂｎａ〜Ｂｎｍ  管理対象物
Ｔ１ａ〜Ｔ１ｍ、〜、Ｔｎａ〜Ｔｎｍ  無線タグ
ＫＡ１〜ＫＡｎ  管理範囲
１１  近距離無線通信部
１２  光センサ
１３  タイマ
１４  無線通信部
１５  処理部
１６  電源部
１７  ジャイロ／加速度センサ
１８  鳴動／発光部
１９  メモリ
２０  プラグ
２１  刃
２２  光センサ
２５  コンセント
【先行技術文献】
【特許文献】
【００９０】
【特許文献１】特開２００２−２６１７７３号公報
【図１】
2014155087.tif 000003
【図２】
2014155087.tif 000004
【図３】
2014155087.tif 000005
【図４】
2014155087.tif 000006
【図５】
2014155087.tif 000007
【図６】
2014155087.tif 000008
【図７】
2014155087.tif 000009
【図８】
2014155087.tif 000010